(57)【特許請求の範囲】
【請求項１】
感光体の中央部で、感光体から用紙を分離する分離爪の位置を検出する分離爪位置検出手段と、
画像データに基づき感光体上の画像の書き込み位置を検出する画像書き込み位置検出手段と、
画像データに基づき画像の種類情報を検出する画像種類検出手段と、
画像データに基づき画像を形成する位置をシフトする画像データシフト手段と、
これらを制御する制御手段と、を備え、
前記制御手段は、
前記分離爪位置検出手段で検出された分離爪の位置情報、前記画像書き込み位置検出手段で検出された画像書き込み位置情報、及び前記画像種類検出手段で検出された画像種類情報に基づいて、
前記分離爪と、印字黒率の低い画像とが重なる場合のみ、
前記画像データシフト手段により、前記分離爪と前記印字黒率の低い画像とが重なるのを解消するように、印字黒率の低い画像で分けられる左右で、より印字黒率の高い画像を形成する感光体上の位置をシフトさせる制御を行なった後に、印刷を実行し、
前記分離爪と、印字黒率の低い画像とが重ならない場合は、
画像を形成する感光体上の位置をシフトさせる制御を行なわないで、印刷を実行する
ことを特徴とする画像形成装置。
【請求項２】
感光体の中央部で、感光体から用紙を分離する分離爪の位置を検出する分離爪位置検出手段と、
画像データに基づき感光体上の画像の書き込み位置を検出する画像書き込み位置検出手段と、
画像データに基づき画像の種類情報を検出する画像種類検出手段と、
画像データに基づき分離爪をシフトする分離爪シフト手段と、
これらを制御する制御手段と、を備え、
前記制御手段は、
前記分離爪位置検出手段で検出された前記分離爪の位置情報、前記画像書き込み位置検出手段で検出された画像書き込み位置情報、及び前記画像種類検出手段で検出された画像種類情報に基づいて、
前記分離爪と、印字黒率の低い画像とが重なる場合のみ、
前記分離爪シフト手段により、前記分離爪と前記印字黒率の低い画像とが重なるのを解消するように、印字黒率の低い画像で分けられる左右で、より印字黒率の高い画像に前記分離爪の位置をシフトさせる制御を行なった後に、印刷を実行し、
前記分離爪と、印字黒率の低い画像とが重ならない場合は、
前記分離爪の位置をシフトさせる制御を行なわないで、印刷を実行する
ことを特徴とする画像形成装置。
【請求項３】
感光体の中央部で、感光体から用紙を分離する分離爪の位置を検出する分離爪位置検出手段と、
画像データに基づき感光体上の画像の書き込み位置を検出する画像書き込み位置検出手段と、
画像データに基づき画像の種類情報を検出する画像種類検出手段と、
画像データに基づきを形成すべき画像方向を回転させる画像データ回転手段と、
これらを制御する制御手段と、を備え、
前記制御手段は、
前記分離爪位置検出手段で検出された分離爪の位置情報、前記画像書き込み位置検出手段で検出された画像書き込み位置情報、及び前記画像種類検出手段で検出された画像種類情報に基づいて、
前記分離爪と、印字黒率の低い画像とが重なる場合のみ、
前記画像データ回転手段により、前記分離爪と前記印字黒率の低い画像とが重なるのを解消するように画像形成方向を回転させる制御を行ない、前記分離爪と前記印字黒率の低い画像とが重なるのを解消しない場合には画像形成方向を回転させる制御を行なわないで、印刷を実行し、
前記分離爪と、印字黒率の低い画像とが重ならない場合は、
前記画像形成方向を回転させる制御を行なわないで、印刷を実行する
ことを特徴とする画像形成装置。
【発明の詳細な説明】
【技術分野】
【０００１】
本発明は、感光体に吸着する用紙を分離爪で分離させる機構を有する画像形成装置に関する。
【背景技術】
【０００２】
図８は電子写真方式の画像形成装置の要部構成図である。
感光体ドラム１の周囲に、帯電チャージャ２、書き込みＬＥＤ３、現像ユニット４、転写チャージャ５、分離チャージャ６、クリーニングユニット７などの電子写真プロセス手段が配置されている。そして、分離チャージャ６の下流側近傍には、分離爪８が感光体ドラム１の表面に接して設けてある。
転写部に搬送された用紙は、転写チャージャ５の作用を受けて、感光体ドラム１に形成されたトナー画像が転写され、さらに分離チャージャ６の作用を受けて感光体ドラム１から分離されて下流側に搬送されるが、感光体ドラム１から分離されない場合は、分離爪８により、用紙を感光体ドラム１の表面から引き剥がすようになっている。
【発明の開示】
【発明が解決しようとする課題】
【０００３】
図９は感光体ドラムと分離爪の上面図である。感光体ドラム１の幅方向（軸方向）にこの例では３つの分離爪８（８−１、８−２、８−３）が配列されている。感光ドラム１に巻き付いた用紙を分離爪８によって分離する場合、分離爪８の配置された位置を通過する画像は分離爪８と接触し、図中Ａ（Ａ１、Ａ２、Ａ３）部の画像を乱される恐れがある。
ここで用紙が感光ドラムより分離される際には、通常中央から剥がれる（分離される）ことはなく両端から剥がれていくため、中央に配置された分離爪８−２に接触する恐れのあるＡ２部の画像が乱される可能性がもっとも高い。
【０００４】
また作像される画像の内容的には、感光ドラムと用紙の間にトナーを介さず密着性の高い白紙部の多い印字黒率の低いものほど、巻き付きやすく分離爪による分離を必要としている。
またこのような印字黒率の低い画像には、図面や表といった細線の印字が多く、これらの線が作像された箇所が分離爪と接触通過すると像形成されたトナー、インクが散らされ著しい画像乱れを発生させる。
一方、印字黒率の高い画像については、感光ドラムと用紙の密着性も低く分離爪以前に分離しやすいうえ、分離爪と多少接触してもさほど大きな画像乱れにはならない。
本発明はこのような背景に鑑みてなされたものであり、特に印字黒率の低い画像における画像乱れを回避することができる画像形成装置を提供することを目的とする。
【課題を解決するための手段】
【０００５】
上記目的を達成するために、本発明は、感光体の中央部で、感光体から用紙を分離する分離爪の位置を検出する分離爪位置検出手段と、画像データに基づき感光体上の画像の書き込み位置を検出する画像書き込み位置検出手段と、画像データに基づき画像の種類情報を検出する画像種類検出手段と、画像データに基づき画像を形成する位置をシフトする画像データシフト手段と、これらを制御する制御手段と、を備え、前記制御手段は、前記分離爪位置検出手段で検出された分離爪の位置情報、前記画像書き込み位置検出手段で検出された画像書き込み位置情報、及び前記画像種類検出手段で検出された画像種類情報に基づいて、前記分離爪と、印字黒率の低い画像とが重なる場合のみ、前記画像データシフト手段により、前記分離爪と前記印字黒率の低い画像とが重なるのを解消するように、印字黒率の低い画像で分けられる左右で、より印字黒率の高い画像を形成する感光体上の位置をシフトさせる制御を行なった後に、印刷を実行し、前記分離爪と、印字黒率の低い画像とが重ならない場合は、画像を形成する感光体上の位置をシフトさせる制御を行なわないで、印刷を実行することを特徴とする。
【０００６】
本発明は、感光体の中央部で、感光体から用紙を分離する分離爪の位置を検出する分離爪位置検出手段と、画像データに基づき感光体上の画像の書き込み位置を検出する画像書き込み位置検出手段と、画像データに基づき画像の種類情報を検出する画像種類検出手段と、画像データに基づき分離爪をシフトする分離爪シフト手段と、これらを制御する制御手段と、を備え、前記制御手段は、前記分離爪位置検出手段で検出された前記分離爪の位置情報、前記画像書き込み位置検出手段で検出された画像書き込み位置情報、及び前記画像種類検出手段で検出された画像種類情報に基づいて、前記分離爪と、印字黒率の低い画像とが重なる場合のみ、前記分離爪シフト手段により、前記分離爪と前記印字黒率の低い画像とが重なるのを解消するように、印字黒率の低い画像で分けられる左右で、より印字黒率の高い画像に前記分離爪の位置をシフトさせる制御を行なった後に、印刷を実行し、
前記分離爪と、印字黒率の低い画像とが重ならない場合は、前記分離爪の位置をシフトさせる制御を行なわないで、印刷を実行することを特徴とする。
【０００７】
本発明は、感光体の中央部で、感光体から用紙を分離する分離爪の位置を検出する分離爪位置検出手段と、画像データに基づき感光体上の画像の書き込み位置を検出する画像書き込み位置検出手段と、画像データに基づき画像の種類情報を検出する画像種類検出手段と、画像データに基づきを形成すべき画像方向を回転させる画像データ回転手段と、これらを制御する制御手段と、を備え、前記制御手段は、前記分離爪位置検出手段で検出された分離爪の位置情報、前記画像書き込み位置検出手段で検出された画像書き込み位置情報、及び前記画像種類検出手段で検出された画像種類情報に基づいて、前記分離爪と、印字黒率の低い画像とが重なる場合のみ、前記画像データ回転手段により、前記分離爪と前記印字黒率の低い画像とが重なるのを解消するように画像形成方向を回転させる制御を行ない、前記分離爪と前記印字黒率の低い画像とが重なるのを解消しない場合には画像形成方向を回転させる制御を行なわないで、印刷を実行し、前記分離爪と、印字黒率の低い画像とが重ならない場合は、前記画像形成方向を回転させる制御を行なわないで、印刷を実行することを特徴とする。
【発明の効果】
【０００８】
本発明の画像形成装置によれば、分離爪位置検出手段で検出された分離爪の位置情報、画像書き込み位置検出手段で検出された画像書き込み位置情報、及び画像種類検出手段で検出された画像種類情報に基づいて、印字黒率の低い画像であって分離爪と画像が重なる場合は、画像データシフト手段により画像位置をシフトさせる制御を行うので印字黒率の低い画像における画像乱れを回避することができる。
また本発明によれば、分離爪位置検出手段で検出された分離爪の位置情報、画像書き込み位置検出手段で検出された画像書き込み位置情報、及び画像種類検出手段で検出された画像種類情報に基づいて、印字黒率の低い画像であって前記分離爪と画像が重なる場合は、分離爪シフト手段により前記分離爪の位置をシフトさせる制御を行うので印字黒率の低い画像における画像乱れを回避することができる。
また本発明によれば、分離爪位置検出手段で検出された分離爪の位置情報、画像書き込み位置検出手段で検出された画像書き込み位置情報、及び画像種類検出手段で検出された画像種類情報に基づいて、印字黒率の低い画像であって分離爪と画像が重なる場合は、画像データ回転手段により画像を回転させる制御を行うので印字黒率の低い画像における画像乱れを回避することができる。
【発明を実施するための最良の形態】
【０００９】
以下、本発明の実施形態を図面に従って説明する。
図１は本発明の実施形態に係る画像形成装置の機能ブロック図である。
本実施形態の画像形成装置は、制御手段１１を中心に、分離爪の位置を検出する分離爪位置検出手段１２、画像の書き込み位置を検出する画像書き込み位置検出手段１３、画像の種類情報を検出する画像種類検出手段１４、画像データをシフトする画像データシフト手段１５、分離爪をシフトする分離爪シフト手段１６、及び画像データを回転する画像データ回転手段１７を備える。
制御手段１１は、分離爪位置検出手段１２で検出された分離爪８の位置情報、画像書き込み位置検出手段１３で検出された画像書き込み位置情報、画像種類検出手段１４で検出された画像種類情報（印字黒率の低い画像、印字黒率の高い画像）に基づいて、印字黒率の低い画像であって分離爪８と画像が重なる場合は、画像データシフト手段１５により画像位置をシフトさせたり、分離爪シフト手段１６に分離爪８の位置をシフトさせたり、画像データ回転手段１７により画像を回転させたりする。
【００１０】
図２は分離爪と画像が一致している場合に画像をシフトさせる動作の説明図であり、図２（１）はシフト前、図２（２）はシフト後を示す。また図３は図２の動作のフローチャートである。
中央の分離爪８−２が用紙と当接する帯状のＡ２部にこれと合致する画像（画素）がある場合（Ｓ１で「Ｙ」）、画像位置をシフトすることになるが、その際、左右隣接する画像があるか判断する（Ｓ２）。
一方、分離爪８（この例では８−２）と画像が合致しなければ（Ｓ１で「Ｎ」）、画像乱れは生じないので印刷を実行する（Ｓ３）。
左右隣接する画像がある場合（Ｓ２で「Ｙ」）、どちらの画素数が多いか判断し（Ｓ４）、画素数の少ない方、即ち画像乱れの程度が少ない方へ画像をシフトさせる（Ｓ５、Ｓ６）。
【００１１】
図４は分離爪と画像が一致している場合に分離爪をシフトさせる動作の説明図であり、図４（１）はシフト前、図４（２）はシフト後を示す。また図５は図４の動作のフローチャートである。
中央の分離爪８−２が用紙と当接する帯状のＡ２部に、これと合致する画像（画素）がある場合（Ｓ１で「Ｙ」）、分離爪８−２をシフトすることになるが、その際、左右隣接する画像があるか判断する（Ｓ２）。
一方、分離爪８（この例では８−２）と画像が合致しなければ（Ｓ１で「Ｎ」）、画像乱れは生じないので印刷を実行する（Ｓ３）。
左右隣接する画像がある場合（Ｓ２で「Ｙ」）、どちらの画素数が多いか判断し（Ｓ４）、画素数の少ない方、即ち画像乱れの程度が少ない方へ分離爪８−２シフトさせる（Ｓ５、Ｓ６）。
【００１２】
図６は分離爪と画像が一致している場合に画像を回転させる動作の説明図であり、図６（１）は回転前、図６（２）は回転後を示す。また図７は図６の動作のフローチャートである。
中央の分離爪８−２が用紙と当接する帯状のＡ２部に、これと合致する画像（画素）がある場合（Ｓ１で「Ｙ」）、画像を回転する（Ｓ２）。これに対して、中央の分離爪８−２が用紙と当接する帯状のＡ２部に、これと合致する画像（画素）がなければ（Ｓ１で「Ｎ」）、印刷を実行する（Ｓ３）。
【図面の簡単な説明】
【００１３】
【図１】本発明の実施形態に係る画像形成装置の機能ブロック図である。
【図２】分離爪と画像が一致している場合に画像をシフトさせる動作の説明図である。
【図３】図２の動作を示したフローチャートである。
【図４】分離爪と画像が一致している場合に分離爪をシフトさせる動作の説明図である。
【図５】図４の動作を示したフローチャートである。
【図６】分離爪と画像が一致している場合に画像を回転させる動作の説明図である。
【図７】図６の動作を示したフローチャートである。
【図８】電子写真方式の画像形成装置の要部構成図である。
【図９】感光体ドラムと分離爪の上面図である。
【符号の説明】
【００１４】
１１  制御手段、１２  分離爪位置検出手段、１３  画像書き込み位置検出手段、１４  画像種類検出手段、１５  画像データシフト手段、１６  分離爪シフト手段、１７  画像データ回転手段
【図１】
0004799185.tif 000002
【図２】
0004799185.tif 000003
【図３】
0004799185.tif 000004
【図４】
0004799185.tif 000005
【図５】
0004799185.tif 000006
【図６】
0004799185.tif 000007
【図７】
0004799185.tif 000008
【図８】
0004799185.tif 000009
【図９】
0004799185.tif 000010